(57)【要約】【課題】その上面又は外周辺における雨水等の表面水が効率よく除去される歩道板と、例えて、歩道板等連続して設置されるブロックの相接する端面相互を確実、堅固、且つ迅速に固定して接合する方法を提供することを課題とする。【解決手段】歩道板が相隣る板状体と接合すべき端面２を具備した板状体となされ、前記板状体の少なくとも一辺又はその一部に沿って導水部４を設け、又、板状体の端面２の一部を凹陥面２ａに形成するとともに、残余を当接面６となし、更に又、板状体の底部３ａに通水孔７を設けてなる。又、相隣る端面２相互を位置決めして接合すべく、相接する端面２，２の回転対称位置で、端面２，２に設けた凹陥面２ａと凸部８を凹凸嵌合させる。【選択図】　図１
2004143903.tif 000002
【特許請求の範囲】
【請求項１】
相隣る板状体と接合すべき端面（２）を具備した板状体であって、該板状体の少なくとも一辺又はその一部に沿って導水部（４）が設けられてなることを特徴とする歩道板。
【請求項２】
前記導水部（４）の端部（４ａ）に、その底面（４ｂ）を段状に凹陥させた凹段部（４ｃ）が設けられてなる請求項１記載の歩道板。
【請求項３】
前記板状体の端面（２）の一部が導水部（４）の端部（４ａ）又は凹段部（４ｃ）と繋がる凹陥面（２ａ）に形成され、且つ残余が当接面（６）をなす請求項１又は２記載の歩道板。
【請求項４】
相隣る板状体と接合すべき端面（２）を具備した板状体であって、該板状体の端面（２）の一部を凹陥面（２ａ）に形成し、且つ残余を当接面（６）となすことを特徴とする歩道板。
【請求項５】
板状体の底部（３ａ）に通水孔（７）を設けてなることを特徴とする歩道板。
【請求項６】
前記板状体の上面（１３）及び／又は導水部（４）の底面（４ｂ）に傾斜を付してなる請求項１乃至５の何れかに記載の歩道板。
【請求項７】
排水施設（１１）の上方に前記歩道板を設けて上蓋となす請求項１乃至６の何れかに記載の歩道板。
【請求項８】
相隣る端面（２）相互を位置決めして接合すべく、相接する端面（２），（２）の回転対称位置で、両端面（２），（２）に設けた凹陥面（２ａ）と凸部（８）が凹凸嵌合することを特徴とする端面相互の接合方法。
【請求項９】
前記凹凸嵌合時に、相隣る端面（２）相互間に目地代（１６）を形成すべく、凸部（８）の突設度合いが凹陥面（２ａ）の凹設度合いよりも大きく設定され、前記目地代（１６）に既製の目地材（１７）が設けられる請求項８記載の端面相互の接合方法。
【発明の詳細な説明】
【０００１】
【発明の属する技術分野】
本発明は、歩道板と端面相互の接合方法に関し、より詳しくは、その上面又は外周辺の雨水等を効率よく排出可能とした歩道板と、例えて該歩道板等、連続して設置されるブロックの相接する端面に設けた凹陥面と凸部の凹凸嵌合をもって、相隣る端面相互を確実、且つ堅固に接合する方法に関する。
【０００２】
【従来の技術】
従来、床面又は歩行面を地表部に形成する際には、コンクリート平板やタイル等の板状体によって必要部分の地表面を被覆し、且つ板状体相互間に目地モルタル等の接合材を別途充填せしめてその一体性を確保しようとしている。
【０００３】
【発明が解決しようとする課題】
しかしながら、上記板状体はそれ自体で雨水等の表面水が排除されるような機能を備えておらず、又、別途施工する結合材は、その充填に手間が掛かり、且つ硬化待ち等養生期間を要するとともに、かかる接合材のみでは地表面の不等沈下等による変形に板状体が追随して床面又は歩行面等に不陸が生じる。従って、かかる床面又は歩行面等の施工が長期化し、又、その上面には雨水等の表面水が滞留したりし、該上面又はその外周辺の水気でスリップ事故が起こるといった問題点があった。
本発明は、上記の如き従来の問題点に鑑みてなされたもので、その上面又は外周辺における雨水等の表面水が効率よく排除される歩道板を提供することを課題とする。
又、本発明は、例えて歩道板等、連続して設置されるブロックの相接する端面相互を確実、堅固、且つ迅速に固定して接合する方法を提供することを課題とする。
【０００４】
【課題を解決するための手段】
上記課題を解決するため、本発明に係る歩道板は、請求項１記載の如く、相隣る板状体と接合すべき端面２を具備した板状体であって、該板状体の少なくとも一辺又はその一部に沿って導水部４が設けられてなることを特徴とする。
上記構成からなる歩道板１にあっては、該歩道板１の上面１３上にある表面水等が板状体をなす歩道板１の少なくとも一辺又はその一部に沿って設けられた導水部４に流れ込むとともに、集積されて歩道板１の外部へ排出される。
【０００５】
又、本発明に係る歩道板は、請求項２記載の如く、請求項１記載の歩道板において、導水部４の端部４ａに、その底面４ｂを段状に凹陥させた凹段部４ｃが設けられてなる構成、或いは、請求項３記載の如く請求項１又は２記載の歩道板において、板状体の端面２の一部が導水部４の端部４ａ又は凹段部４ｃと繋がる凹陥面２ａに形成されるとともに、残余が当接面６をなす構成を採用することができる。
かかる構成からなる歩道板１にあっては、相隣る端面２相互の当接面６同士が当接されて上面１３が連続せる歩行面を形成しても、導水部４に流入した上面１３の表面水等は、導水部４の端部４ａ又は該端部４ａに追設された凹段部４ｃと繋がる凹陥面２ａ、即ち、端面２相互間に形成される空隙部５を経て一の歩道板１毎に下方等へ排出される。
【０００６】
又、本発明に係る歩道板は、請求項４記載の如く、相隣る板状体と接合すべき端面２を具備した板状体であって、該板状体の端面２の一部を凹陥面２ａに形成し、且つ残余を当接面６となすことを特徴とする。
かかる構成からなる歩道板１にあっては、相隣る端面２相互の当接面６同士が当接されて上面１３が連続せる歩行面を形成しても、該歩道板１の外周辺の表面水や地中の水等は、端面２の一部に形成された凹陥面２ａ、即ち、端面２相互間に形成される空隙部５を経て一の歩道板１毎にその下方や他所等へ排出される。
【０００７】
又、本発明に係る歩道板は、請求項５記載の如く、板状体の底部３ａに通水孔７を設けてなることを特徴とする。
かかる構成からなる歩道板１にあっては、該歩道板１の外周辺における地中の水等が板状体をなす歩道板１の底部３ａに設けた通水孔７によってその下面に集積され、或いは、通水孔７を通過することで他所へ排出される。
【０００８】
又、本発明に係る歩道板は、請求項６記載の如く、請求項１乃至５の何れかに記載の歩道板において、板状体の上面１３及び／又は導水部４の底面４ｂに傾斜を付してなる構成を採用することができる。
かかる構成からなる歩道板１にあっては、該歩道板１上に流入した表面水等は、板状体をなす歩道板１の上面１３及び／又は導水部４の底面４ｂの傾斜によって下流側に速やかに集積、流下し外部へ排出される。
【０００９】
又、本発明に係る歩道板は、請求項７記載の如く、請求項１乃至６の何れかに記載の歩道板において、排水施設１１の上方に前記歩道板を設けて上蓋となす構成を採用することができる。
かかる構成からなる歩道板１にあっては、導水部４及び／又は通水孔７により集積され下方向に排出される表面水等は、歩道板１の下方に設置された排水施設１１内に落下、流入して散乱することなく他所へ排出される。
【００１０】
又、本発明に係る端面相互の接合方法は、請求項８記載の如く、相隣る端面２相互を位置決めして接合すべく、相接する端面２，２の回転対称位置で、両端面２，２に設けた凹陥面２ａと凸部８が凹凸嵌合することを特徴とする。
かかる構成からなる端面相互の接合方法にあっては、凸部８と凹凸嵌合すべき凹部１４を凹陥面２ａと兼用的に形成するとともに、凸部８と凹部１４（凹陥面２ａ）とが相隣る端面２，２相互間において回転対称位置、即ち、一の接合部に二箇所の凹凸嵌合部を互いが出入り状となるべく設けてなるために、例え凸部８又は凹部１４（凹陥面２ａ）の何れか一が欠如しても残存せる他所の凹凸嵌合部で上下方向での位置決めが可能となり、相隣る端面２，２相互を堅固に接合して、相互のブロックが上下、左右へ移動するのを防止することができる。
【００１１】
又、本発明に係る端面相互の接合方法は、請求項９記載の如く、請求項８記載の端面相互の接合方法における凹凸嵌合時に、相隣る端面２相互間に目地代１６を形成すべく、凸部８の突設度合いが凹陥面２ａの凹設度合いよりも大きく設定され、前記目地代１６に既製の目地材１７が設けられる構成を採用することができる。
かかる構成からなる端面相互の接合方法にあっては、凸部８の突設度合いが凹陥面２ａの凹設度合いよりも大きく設定されて、相隣る端面２の相互間に目地代１６が形成されるとともに、該目地代１６に既製の目地材１７が設けられるために、凸部８を凹陥面２ａ（凹部１４）に突き合わすのみで端面２，２間に規定幅の目地代１６を自動的に確保できるとともに、かかる規定幅と近似厚みとなした既製の目地材１７を前記目地代１６に介在させるだけで養生期間等を要せず簡単、速やかに接合作業を済ますことができ、上記凹陥面２ａ（凹部１４）と凸部８の凹凸嵌合と相まって、端面２，２相互を正確、美麗、堅固、且つ迅速に固定することができる。
【００１２】
【発明の実施の形態】
以下、本発明の実施の形態を、図面を参酌しつつ説明する。
図１（イ）乃至（ホ）は、本発明の一実施の形態に係る歩道板１を示し、以下、図中のＸ−Ｘ方向を歩道板１の長さ方向、又、Ｙ−Ｙ方向を歩道板１の幅方向と称する。
当該歩道板１は、平面視長方形をなす板状体の長さ方向にわたる両辺の下位に外突部３を設けて相隣る他の歩道板１と接合すべき端面２を略凸形（側面視）となし、両外突部３，３の上面付根部に凹溝状の導水部４を長さ方向にわたり夫々設けるとともに、略凸形を構成する上面１３が幅方向で外突部３側へ向け斜降する傾斜面に形成されてなる。
又、前記側面視略凸形をなす両端面２，２にあって、その上縁と該上縁両端から少許垂下する両側縁に沿うことで略逆凹型を呈する部分、並びに下位両側において端部寄りの下縁と該下縁から外突部３の外縁に沿うことで略Ｌ型又は略逆Ｌ型を呈する部分を夫々当接面６に形成すべく、残余が該当接面６より凹陥せる凹陥面２ａに形成されてなる。
ここで、前記導水部４の両端部４ａは、該導水部４の底面４ｂを段状に更に凹陥させた凹段部４ｃを介して凹陥面２ａと夫々連設するとともに、端面２の上位において、略逆凹型をなす当接面６に囲繞される部分の略半分を凹陥面２ａから突設して当接面６より長さ方向に外突する凸部８に形成し、残る略半分部分を凹陥面２ａと同面の凹部１４となす。而して、かかる凸部８と凹部１４は、平面視における歩道板１の略中心に対し左右の端面２，２に点対称位置で設けられ、且つその突設又は凹設度合いは、当接面６を基準として略同一に形成されてなる。又、上記歩道板１の裏面側には空所１０が設けられ、その底部３ａが底面視額縁状を呈するとともに、長さ方向における底部３ａには、外側の凹設度合いを空所１０側のそれよりも大きくなした通水孔７が２個設けられてなる。
【００１３】
次に、前記歩道板１の設置例をその接合方法と共に、図２（イ）乃至（ホ）に基づいて説明すると、前記歩道板１の端面２を相隣る他の歩道板１の端面２に接合させて連設すると、相互の各当接面６が相接し該各当接面６より凹設せる凹陥面２ａの相互間に空隙部５が形成されるとともに、凹部１４と凸部８が相接する端面２，２の回転対称位置で夫々凹凸嵌合する。
而して、かかる歩道板１は地表部に連設し、その地表面Ｇを外突部３の上面と略合致せしめるものであって、上記の如く端面２，２相互の各当接面６同士が当接し、又、上面１３同士が連続することで形成された歩行面は地表面Ｇより高く隆起してなるために、該上面１３上に土砂が侵入し、或いは、落ち葉等が飛来して蓄積することがない。
又、その上面１３上及び地表面Ｇ上にある表面水Ｗは、導水部４に流入して集積され、その底面４ｂに沿って流下するとともに、端部４ａにある凹段部４ｃから端面２，２相互間に内蔵形成される空隙部５を経て一の歩道板１毎にその下方の地盤に排出、還元されるか、或いは、空隙部５を通過して幅方向の他側へ排出される。
又、外突部３の側面に地中の水Ｗ′が存在する際には、底部３ａに設けた通水孔７によって該地中の水Ｗ′を歩道板１の下面に集積して下方の地盤に排出、還元させ、或いは、対向せる通水孔７を通過せしめて幅方向の他側へ排出する。
更に、端面２，２の回転対称位置で出入り状に凹凸嵌合する凸部８と凹部１４即ち、凸部８の上縁８ａと凹部１４の上縁１４ａとの競り合いにより、何れか一の歩道板１が沈下しようとする際には、回転対称位置にある一方の凸部８の上縁８ａが凹部１４の上縁１４ａを支承し、又、何れか一の歩道板１が浮上しようとする際には一方の凹部１４の上縁１４ａが凸部８の上縁８ａを押さえ込む。
従って、かかる歩道板１が多数個連設されることにより形成される帯状の歩行面上やその外周辺に降雨や撒水等があっても、その表面水Ｗは導水部４や空隙部５によって歩道板１の上面１３上、並びに地表面Ｇ上に滞留することなく排水されるため、上面１３又はその外周辺での歩行条件が良好となってスリップ等を起こすことなく安全な使用が行える。しかも、連続せる歩行面によって地表面Ｇが区画されても、地表水Ｗは空隙部５間を、又、地中の水Ｗ′はその底部３ａの通水孔７間を行き来することも可能で区画された土壌が泥化しないため、畑、果樹園等植樹地帯への使用に好適となる。
更に、連続せる歩道板１相互は、夫々凹凸嵌合されてなるため、連結に際する通り、高さ調整等の位置決めが接合材を用いずして容易、且つ迅速に行えるとともに、連結後は堅固な凹凸嵌合によって不等沈下等に起因する歩道板１相互の不陸発生を未然に防止することができる。
尚、上記実施の形態においては、外突部３上にある導水部４の底面４ｂを水平面に形成しているが、他の実施の形態として、かかる底面４ｂをその長さ方向で傾斜させることも可能で、かのような傾斜を付すことにより、歩道板１上での排水効率を更に向上せしめることができる。又、傾斜面となした上面１３を水平面に形成してもよいもので、該上面１３及び底面４ｂの傾斜の有無並びに傾斜方向等は任意に設定可能である（図示せず）。
【００１４】
上記歩道板１の他の実施の形態として、歩道板１の下方には図２（ハ）乃至（ホ）において一点鎖線で示すように、排水施設１１を設けることができる。
即ち、地中に埋設される排水施設としてのＵ形こう１１′の両上端面１１ａ′によって歩道板１の長さ方向にわたる両底部３ａを支持してなるものであり、該歩道板１は地表面にあって帯状をなす上面１３が歩行面を形成すると同時に、Ｕ形こう１１′の上蓋として兼用的に使用することができて有益性を有するとともに、前述の如く、導水部４により集積されて空隙部５を経る表面水Ｗ、並びに通水孔７から浸入する地中の水Ｗ′をその下方に位置するＵ形こう１１′内へ落下せしめて該Ｕ形こう１１′の流末へ排水処理することができるため、歩道板１を含めてその地表部における排水が完璧に行える。
尚、上記実施形態においては排水施設１１としてＵ形こう１１′を用いたが、歩道板１が上蓋的に使用可能なものであれば良いもので、該排水施設１１の具体的な形状は問わない。
【００１５】
上記歩道板１の他の実施の形態として、図３（イ）及び（ロ）に示す如く、歩道板１の下方における排水施設１１としてのＵ形こう１１′を、排水処理するべき流量に応じてその流水断面が大小異なるものに変更可能で、いずれの歩道板１も、各Ｕ形こう１１′の両上端面１１ａ′上に載置されて上蓋としての機能を発揮してなり、当該排水施設１１を具備する歩道板１を畑、花壇、果樹園等に成形される畝等の盛土ｇ間に適用すると、該歩道板１は地表面Ｇから突出して帯状をなす上面１３が歩行面を形成すると同時に、前述の如く、導水部４により集積されて空隙部５を経る表面水Ｗ、並びに通水孔７を通水する地中の水Ｗ′を、その下方に位置するＵ形こう１１′内へ落下せしめて排水処理することができるために、盛土ｇ全体の水はけが良好となって樹木等の生育に好適な土壌を創出することができる。
更に、盛土ｇから落下せる土砂等が歩道板１の外突部３及び導水部４上に堆積しても、該外突部３の上面を深さ方向、又、上面１３に繋がる側壁面１９を幅方向の当たり（目印）として、堆積土砂等を鍬等により掻き取って盛土ｇ上に戻すことで、歩道板１の両側における地表面Ｇを外突部３の上面と略同一高さで、且つ掻き取り作業に用いる鍬等の幅と略同一の幅Ｂに均一に維持することができるとともに、該地表面Ｇに生育する雑草等も容易に除去できる。
【００１６】
図４及び図５は、本発明の他の実施の形態に係る歩道板１を示し、当該歩道板１は前記図１に示した歩道板１における一方の外突部３が欠設されてなるものである。
更に詳しくは、図４（イ）乃至（ヘ）に示す歩道板１は、前記図１に示した歩道板１をその幅方向略中央で長さ方向に半截して得られるものであり、その結果導水部４及び通水孔７を有する外突部３が板状体の長さ方向一側に形成され、他側に空所１０が表出してその端面２′が略逆凹型を呈してなる。
又、両端面２，２の上縁と該上縁の外突部３側の端部から少許垂下する側縁に沿うことで略へ字型又は略逆へ字型を呈する部分を当接面６に形成し、該当接面６に囲繞される一方の端面２の凹陥面２ａから凸部８を突設するとともに、他方の端面２において前記当接面６に囲繞される部分を凹陥面２ａと同面の凹部１４となし、且つ上面１３を骨材露出面に形成してなる。
図５（イ）乃至（ニ）に示す歩道板１は、前記図１に示した歩道板１における一方の外突部３をその付根部で切除することで得られるものであり、その結果導水部４及び通水孔７を有する外突部３が板状体の長さ方向一側に形成され、他側が上面１３と略垂直に連設せる直壁状の端面２′に形成されてなる。
又、両端面２，２の下位にあって前記端面２′側に位置する当接面６が矩形を呈し、且つ上面１３及びこれと連なる端面２′を骨材露出面に形成してなる。
【００１７】
上記実施の形態に係る各歩道板１は、図４（ト）及び図５（ホ）に示す如く、各歩道板１の長さ方向における一方の使用が制約される場所への設置に適したものであり、例えて他の構造物と連設せしめる際には、図４（ト）に示すように、長さ方向に半截することで形成された端面２′を他の構造物面と当接させて設置するもので、当該設置例にあっては、歩道板１の下方に排水施設１１としてのＵ形こう１１′が設けられ、導水部４や通水孔７によって集積された表面水Ｗ及び地中の水Ｗ′を排水処理してなる。
又、段差を有する地表面Ｇの末端等で擁壁等の天端に列設する際は、図５（ホ）に示すとおり、一方の外突部３が切断されることで形成される端面２′を擁壁等の前面と略合致又は前面より稍突出（図中、破線で示す）させて設置するもので、当該設置例にあっては骨材露出面からなる端面２′が擁壁等の天端の化粧材となって風趣に富んだ景観を醸し出すとともに、導水部４や通水孔７によって集積された表面水Ｗ及び地中の水Ｗ′が擁壁等の裏込部から水抜孔を経てその前面に排出される。
即ち、かかる各歩道板１は、地表面Ｇの外郭等に連続せる歩行面を形成して、その外周辺の排水性を向上せしめるのである。
【００１８】
図６（イ）乃至（ニ）は、本発明を構成する導水部４の変形例を示す。
先ず、歩道板１に外突部３を有するものとしては、同図（イ）及び（ロ）に示すように、その導水部４を外突部３の上面付根部において断面略半円をなす凹溝状、又は、外突部３の上面全体がその付根部へ向け下り勾配をなす斜面状に形成されてもよい。
又、外突部３を有しない歩道板１としては、同図（ハ）に示すように、その上面１３上に直接、凹溝状をなす導水部４を設けてもよく、更に、同図（ニ）に示す如き上部開口部を幅狭くして粗大ゴミ等の流入を防止する略箱型の導水部４となすこともできる。
尚、本発明を構成する導水部４の形状は、上記に示すものに限定されるものではなく、その外突部３上若しくは上面１３上にあって表面水等を集積可能な断面形状となすものであればその具体的な態様は問わない。
【００１９】
図７及び図８は、夫々本発明の他の実施の形態に係る歩道板２１を示し、当該歩道板２１は、前記図４及び図５に示す如き歩道板１、即ち、その長さ方向における一方の使用が制約される歩道板１と組み合わせて鉤の手状に連なる歩行面を形成するため、その隅部に使用するものである。
先ず、図７（イ）乃至（ハ）は、一方の使用が制約される側（以下、制約側という）の形態が入り隅状をなす場合を示し、同図（イ）にあって、その隅部に表される歩道板２１は、導水部４を有しない側の端面２′，２′が直角状をなす制約側に夫々位置するとともに、外突部３の端部相互が点接触する如き状態で設置される２枚の歩道板１，１の離隔せる端面２，２間を充足すべく、該端面２，２と接合する端面２２，２２をその直交せる二辺に設け、又、残余の二辺を制約側に位置せしめる端面２２′，２２′となした正方形の板状体からなり、且つ該歩道板２１の一隅部には、前記歩道板１，１の外突部３，３に設けられた導水部４と連なる導水部２４が設けられてなる。
ここで、上記の如く正方形を基調として形成された隅用の歩道板２１には方向性がないから、上下、左右何れの隅部にも使用可能となる。
【００２０】
次に、図７（ロ）にあって、その隅部に表される歩道板２１は、長方形をなす板状体からなりその導水部を有しない長さ方向の一側及び該一側と直交して幅方向にわたる一端とを、直角状をなす制約側に位置させるための端面２２′，２２′となすとともに、他の導水部２４を有する一側の一部には、当該歩道板２１と直交し、且つ導水部４を有しない側の端面２′が制約側に位置した他の歩道板１の端面２と接合する端面２２が形成されるとともに、前記制約側に位置して幅方向にわたる端面２２′との対向部には、当該歩道板２１と直列し、且つ導水部４を有しない側の端面２′が制約側に位置した他の歩道板１の端面２と接合する端面２２が形成されてなり、ここで、各歩道板１，２１の一側に設けられた外突部３，２３並びに導水部４，２４が相互に連設されてなるものである。
尚、歩道板１の列設状況に応じ、上記歩道板２１と左右対称形状をなす図７（ハ）に示す如き、他の隅用の歩道板２１を形成することも可能である。
【００２１】
又、図８（イ）乃至（ハ）は、制約側の形態が出隅状をなす場合を示すもので、同図（イ）にあってその隅部に表される歩道板２１は、導水部４を有しない側の端面２′，２′が直角状をなす制約側に位置して、その端部相互が点接触する如き状態で設置される２枚の歩道板１，１の離隔せる端面２，２間を充足するべく、該端面２，２と接合する端面２２，２２をその直交せる二辺に設け、又、残余の二辺には前記歩道板１，１の外突部３及び導水部４と連なる外突部２３及び導水部２４が夫々設けられた正方形の板状体からなるものである。
ここで、上記の如く正方形を基調として形成された隅用の歩道板２１には方向性がないから、上下、左右何れの隅部にも使用可能となる。
【００２２】
更に、図８（ロ）にあってその隅部に表される歩道板２１は、長方形をなす板状体からなりその導水部を有しない長さ方向の一側の一部を、直角状をなす制約側に位置させるための端面２２′に、又、該一側に残存せる部分を、当該歩道板２１と直交し、且つ導水部４を有しない側の端面２′が制約側に位置した他の歩道板１の端面２と接合する端面２２に形成するとともに、前記端面２２′と直交して幅方向にわたる一端を、当該歩道板２１と直列し、且つ導水部４を有しない側の端面２′が制約側に位置した他の歩道板１の端面２と接合する端面２２に形成してなり、更に、その外郭にあって直交せる二辺には前記歩道板１，１のそれと連なる外突部２３及び導水部２４が夫々設けられてなるものである。
尚、歩道板１の列設状況に応じ、上記歩道板２１と左右対称形状をなす図８（ハ）に示す如き、他の隅用の歩道板２１を形成することも可能である。
【００２３】
上述の如く、隅用の歩道板２１と歩道板１を組合せることにより、その上面３３及び１３が連なることで構成される歩行面を鉤の手状に自由に屈折せしめることが可能となり、例えて他の構造物際、擁壁の天端等、地表面の外郭をなす箇所への使用が多様化すると同時に、上面１３及び３３に沿って設けた導水部４及び２４が、その上面及び外周辺の排水性を高めて地表面の外郭部が湿けることを防止する。
尚、上記隅用の歩道板２１の設置例にあっては、他の歩道板１を含めて外突部３，２３をその片側に有してなるが、かかる外突部３，２３を設けることは必須の条件ではなく、外突部３，２３を設けずしてその上面１３，３３に直接的に導水部４，２４を設けてもよい。更に、図４及び図５の歩道板１に示したように、各端面２，２２には、凹陥部２ａ，空隙部５、当接面６及び凸部８を具備させ、又、板体の裏面側には通水孔７や空所１０を設けて歩道板１，２１の一体性並びにその排水性を更に向上せしめることも、本発明の意図する範囲内であれば実施可能である。
【００２４】
図９は、本発明に係る歩道板１の他の設置例を示し、同図（イ）に示す歩道板１は、前記図５に示す如き、その長さ方向における一方の外突部３が欠如して、該欠如側の一側を端面２′となすものであり、当該設置例にあっては、長さ方向にわたる外突部３と端面２′相互が当接するべく、歩道板１…が幅方向に並列して複数設置されてなるため、外突部３の上面が水平面或いはその外側へ向け下る傾斜面に形成されていても、相隣る歩道板１の端面２′が立上がり壁となって作用し、その結果外突部３の上面を底面４ｂとなす凹溝状の導水部４が歩道板１相互間に形成される。即ち、幅の広い歩行面に複数列の排水機構を具備せしめることができるのである。
又、図９（ロ）に示すように、前出の図５に示す歩道板１を幅方向に２枚用いるとともに、その長さ方向における一方の端面２′相互を当接せしめて設置することにより、比較的幅の広い歩行面を簡便に形成することもできる。
【００２５】
図１０は、本発明の他の実施の形態に係る歩道板１′を示し、当該歩道板１′は同図（イ）乃至（ハ）に示すように、略凸型をなして相隣る歩道板１と接合すべき端面２に凸部８と凹部１４とを隣接せしめ、残余の壁面を当接面６となすものであり、その設置にあっては歩道板１′の端面２を相隣る他の歩道板１′の端面２に接合させて連設すると、相互の当接面６が相接すると同時に、相互の凸部８及び凹部１４が相接する端面２，２の回転対称位置で凹凸嵌合するために、各歩道板１′は上下、左右にずれ動くようなことがない。
かかる歩道板１′の連設時には、外突部３に設けた導水部４相互も帯状に連続するために、地表水等をその長さ方向へ連続して流下させることが可能となるとともに、集積せる地表水等の排出を所望する場合には、所望箇所において、同図（ニ）及び（ホ）に示す如く、当該歩道板１′の端面２に前出の図１に示す歩道板１の端面２を接合せしめれば、歩道板１′における端面２の凸部８及び凹部１４を除く壁面、即ち、その当接面６が面一に形成されていても、相接する歩道板１の端面２には、その当接面６から凹陥せる凹陥部２ａが部分的に形成されてなるため、該端面２，２間には空隙部５が内蔵されて前記導水部４に集積する表面水等を、その底面４ｂから端部４ａにある凹段部４ｃを経由させて前記空隙部５から下方へ排出することができる。
而して、上記実施形態にあっては、両端面２，２に凹陥部２ａを具備しない歩道板１′同士を連設するとともに、その一部に両端面２，２に凹陥部２ａを具備する歩道板１を介在させて、任意位置で相接する端面２，２相互間に空隙部５を内蔵させてなるが、かかる歩道板１′と歩道板１とを交互に連設すれば、相接する端面２，２毎に空隙部５を内蔵せしめることができ、且つ端面２の変形例として、例えて片側の端面２にのみ凹陥部２ａを設ければ、１種の歩道板によってその相互間に空隙部５を内蔵させることもできる。
【００２６】
更に、図１１（イ）乃至（ホ）に示すように、端面２の一方に凸部８を、又、他方の端面２に凹部１４を択一的に設け、該端面２，２の下位において略Ｌ型又は略逆Ｌ型を呈してなる当接面６，６の幅方向における長さを長く形成せしめるとともに、その裏面側に空所１０を設けずして、底部３ａに３条の通水孔７を設けてなる歩道板１′となすこともできる。
当該歩道板１′にあっては、その下位にある当接面６，６の幅方向の長さが長く、導水部４から凹陥部２ａを経る表面水Ｗ等が端面２の中央付近で下方に排出されるため、該排出水が外突部３の外側に流出しにくく、又、全体が中実に形成されてなるため、安定性に富むといった利点がある。
又、図１１（ヘ）の左半部に示すような断面凸型、又は、同図の右半部に示すような断面矩形をなす歩道板１′、或いは、図１１（ト）及び（チ）に示すように、その端面２の一部を凹陥面２ａに形成し、且つ残余を当接面６となした歩道板１′、即ち、その辺縁に導水部４を具備しない場合にあっても、端面２の一部に設けた凹陥面２ａにより形成される空隙部５間、又は、その底部３ａに設けられる通水孔７間を地表水Ｗや地中の水Ｗ′が行き来し、或いは、該所からその下方の地盤面へ浸透（その下方に排水施設１１を設けた場合は、排水施設１１内へ落下）するので、歩道板１′の外周辺が水溜まり状になることはない。
尚、本発明に係る歩道板１，１′，２１を構成する板状体の基本形状を始め、端面２，２２、凹陥面２ａ、外突部３，２３、導水部４，２４、空隙部５、当接面６、通水孔７、凸部８、空所１０、上面１３及び凹部１４等の具体的な態様等は前記各実施形態のものに限定されるものではなく、本発明の意図する範囲内で自由に設計変更可能である。
【００２７】
図１２（イ）乃至（ニ）は、本発明の端面相互の接合方法の他実施の形態を示し、当該接合方法は、流水断面をＵ字型となす所謂Ｕ形こう１１′に実施されるべく、相隣るＵ形こう１１′と接合すべき端面２の水平部位下縁に、端面２から突設せる凸部８と端面２から凹陥せる凹部１４（凹陥面２ａ）とを側面視横一文字状に隣接させて設けるとともに、該凸部８と凹部１４は平面視におけるＵ形こう１１′の略中心に対し、端面２，２に点対称位置で設けられてなる。
而して、上記Ｕ形こう１１′の端面２を相隣る他のＵ形こう１１′の端面２に接合させて連設すると、端面２，２の回転対称位置で出入り状に凹凸嵌合する凸部８と凹部１４、即ち、凸部８の上縁８ａと凹陥面２ａをなす凹部１４の上縁１４ａとの競り合いによりＵ形こう１１′が沈下しようとする際には、回転対称位置にある一方の凸部８の上縁８ａが凹部１４の上縁１４ａを支承し、又、Ｕ形こう１１′が浮上しようとする際には、他方の凹部１４の上縁１４ａが凸部８の上縁８ａを押さえ込む。
即ち、かかる接合方法によれば凸部８及び凹部１４が端面２の下縁にあってその突出面若しくは凹陥面２ａが底部３ａと直接的に連設し、その下側における嵌合が欠如しても、上記競り合いによりＵ形こう１１′相互の不陸や蛇行を未然に防止できることとなる。従って、当該接合方法は、肉厚が薄い部分への実施に適するといえる。
尚、当該実施形態にあっては、底部３ａと連設する部分で凹凸嵌合する凸部８の突設面と凹部１４の凹陥面２ａ間とに砂や小砂利が噛み込まないようその下端縁に面取り部１５を設けてなるが、かかる面取り部１５を設けるか否かは自由である。又、凸部８及び凹部１４を隣接させて端面２の下縁に設けた構成も限定されず、例えて凸部８と凹部１４を端面２の上縁や側縁に設けることもでき、或いは、図１３（イ）及び（ロ）に示すように、適宜形状の凸部８と凹部１４を離隔させて設けることも可能である。
【００２８】
図１４（イ）乃至（ト）は、端面相互の接合方法の他実施の形態を示し、当該接合方法は断面略Ｌ形の板状体からなる道路用等のＬ形ブロック３１に実施されるべく、上記Ｕ形こう１１′と同様の凸部８と凹部１４（凹陥面２ａ）とを端面２の下縁でその幅方向に行きわたらさせ、平面視におけるＬ形ブロック３１の略中心に対し、夫々の端面２，２に点対称位置で設けるとともに、凸部８の突設度合いが凹陥面２ａをなす凹部１４の凹設度合いよりも大きく設定されてなる。
又、かかる突設及び凹設度合いの差と近似する厚みを有するとともに、その側面形状が凸部８及び凹部１４より上側の端面２形状に相応した略Ｌ形となされた弾性体、粘着体、多孔体等からなる既製の目地材１７が別途成型されてなる。
而して、上記Ｌ形ブロック３１の端面２を相隣る他のＬ形ブロック３１の端面２に突き合わすと、端面２，２の回転対称位置で凸部８と凹部１４とが夫々凹凸嵌合すると同時に、上記凸部８と凹部１４の突設及び凹設度合いの差異により、相隣る端面２の相互間に目地代１６が形成され、該目地代１６に上記既製の目地材１７を介在せしめて相隣るＬ形ブロック３１相互を連設する。
即ち、かかる接合方法によれば、凸部８を凹部１４（凹陥面２ａ）に突き合わすのみで端面２，２間に規定の目地代１６を自動的に確保できるとともに、該目地代１６を既製の目地材１７で充足するだけで、従来の如き手間や養生期間等を要せず、簡単、速やかに接合作業を済ませることができて、上記凸部８と凹部１４（凹陥面２ａ）の凹凸嵌合と相まって端面２，２相互を正確、美麗、堅固、且つ迅速に固定することができる。
尚、上記既製の目地材１７の側面形状は一例で、例えて図１４（チ）に示す如く、上記Ｌ形ブロック３１における端面２の上方寄りに補助凸部８′を適宜形状で適宜位置に設けることにより、目地材１７の側面形状をＬ形ブロック３１の上縁に沿う略帯状となしてその使用量を減ずることもできる。
【００２９】
又、図１５（イ）乃至（ト）は、上記接合方法の変形例を示し、当該接合方法は断面略台形の棒状体からなる道路用等の境界ブロック４１に実施されるべく、側面視において端面２が境界ブロック４１の外郭に沿い縁取り状に残置されるとともに、その内側を充足する如く凸部８と凹部１４（凹陥面２ａ）が、夫々縦長状に並列して設けられるとともに、平面視における境界ブロック４１の略中心に対し、端面２，２に点対称位置で設けられ、且つ別途成型される目地材１７が前記端面２と同形状の枠状となされている。
かかる境界ブロック４１及び目地材１７による接合によれば、端面２，２にあって互いに突き合わされる凸部８と凹部１４（凹陥面２ａ）とが比較的大きな面積を有して凹凸嵌合してなるため、該突き合わせ部に衝撃等が加わっても、凸部８と凹部１４（凹陥面２ａ）が欠損することがない堅固な接合を可能となすとともに、端面２，２間に介在せる目地材１７が凸部８に外嵌されて位置ずれを生じないという利点もある。
【００３０】
更に、実施の形態としてＵ形こう１１′、Ｌ形ブロック３１及び境界ブロック４１を例示したが、上記接合方法の実施品はこれらに限定されるものではなく、その端面相互が接合されて複数個列設使用されるもの全てに実施できる。
【００３１】
【発明の効果】
本発明に係る歩道板は、相隣る板状体と接合すべき端面を具備した板状体の少なくとも一辺又はその一部に沿って導水部が設けられてなるために、該歩道板の上面にある雨水、撒水等の表面水が板状体をなす歩道板の少なくとも一辺又その一部に沿って設けられた導水部に流れ込むとともに、集積されて歩道板の外部へ排出されるので、上面において水溜まり状になったり、土砂等が蓄積するようなことはない。
【００３２】
又、本発明に係る歩道板は、導水部の端部に、その底面を段状に凹陥させた凹段部が設けられてなるか、或いは、板状体の端面の一部が導水部の端部又は前記凹段部と繋がる凹陥面に形成され、且つ残余が当接面をなすために、相隣る端面相互の当接面同士が当接されてその上面が連続せる歩行面を形成しても、導水部に流入した上面の表面水等は、導水部の端部又は該端部に追設された凹段部と繋がる凹陥面、即ち、端面相互間に内蔵されて形成される空隙部を経て一の歩道板毎に下方等へ排出されるので排水性に富む構成となり得る。
【００３３】
又、本発明に係る歩道板は、相隣る板状体と接合すべき端面を具備した板状体の端面の一部を凹陥面に形成し、且つ残余を当接面としてなるために、相隣る端面相互の当接面同士が当接されてその上面が連続せる歩行面を形成しても、該歩道板の外周辺の表面水や地中の水等は、端面の一部に形成された凹陥面、即ち、端面相互間に形成される空隙部を経て一の歩道板毎にその下方や他所等へ排出されるので、歩道板の外周辺が湿気ることはない。
【００３４】
又、本発明に係る歩道板は、板状体の底部に通水孔を設けてなるために、該歩道板の外周辺における地中の水等が、その底部に設けた通水孔によってその下面に集積され、或いは通水孔を通過することで他所へ排出されるので、歩道板の外周辺においても水溜まり状になるようなことはない。
【００３５】
又、本発明に係る歩道板は、板状体の上面及び／又は導水部の底面に傾斜を付してなるために、該歩道板上に流入した表面水等は、その上面及び／又は導水部の底面の傾斜によって下流側に速やかに集積、流下し外部へ排出されるので、歩道板上での排水効率が更に向上する構成となり得る。
【００３６】
又、本発明に係る歩道板は、排水施設の上方に設けて上蓋となすことができるために、前記導水部及び／又は通水孔により集積され下方向に排出される表面水や地中の水等が歩道板の下方に設置された排水施設内に落下、流入して散乱することなく他所へ排出されるのである。
【００３７】
又、本発明に係る端面相互の接合方法は、相隣る端面相互を位置決めして接合すべく、相接する端面の回転対称位置で、両端面に設けた凹陥面と凸部が凹凸嵌合するために、凸部と凹凸嵌合すべき凹部を凹陥面と兼用的に形成するとともに、凸部と凹部（凹陥面）とが相隣る端面相互間において回転対称位置、即ち、一の接合部に二箇所の凹凸嵌合部を互いが出入り状となるべく設けているので、例え凸部又は凹部（凹陥面）の何れか一が欠如しても残存せる他所の凹凸嵌合部で上下方向での位置決めが可能となり、相隣る端面相互をを堅固に接合して、相互のブロックが上下、左右へ移動するのを防止することができる。
【００３８】
又、本発明に係る端面相互の接合方法は、凹凸嵌合時に、相隣る端面相互間に目地代を形成すべく、凸部の突設度合いが凹陥面の凹設度合いよりも大きく設定され、前記目地代に既製の目地材が設けられるために、凸部を凹陥面（凹部）に突き合わすのみで両端面間に規定幅の目地代を自動的に確保できるとともに、かかる規定幅と近似厚みとなした既製の目地材を前記目地代に介在させるだけで養生期間等を要せず簡単、速やかに接合作業を済ますことができ、上記凹陥面（凹部）と凸部の凹凸嵌合と相まって、相隣る端面相互を正確、美麗、堅固、且つ迅速に固定することができる。
【図面の簡単な説明】
【図１】本発明の歩道板の一実施形態を示し、（イ）は正面図（一部、（ロ）のＡ−Ａ断面図）、（ロ）は平面図、（ハ）は側面図、（ニ）は（イ）のＢ−Ｂ断面図、（ホ）は（ロ）のＮ−Ｎ拡大断面図。
【図２】図１の歩道板の接合方法及び設置例を示し、（イ）は一部平面図、（ロ）は（イ）のＣ−Ｃ拡大断面図、（ハ）は同Ｄ−Ｄ拡大断面図、（ニ）は同Ｅ−Ｅ拡大断面図、（ホ）は（ニ）のＭ部拡大図。
【図３】図１の歩道板の他の設置例を示し、（イ）は一部省略横断面図、（ロ）は（イ）の要部半截拡大断面図。
【図４】本発明の歩道板の他実施の形態を示し、（イ）は正面図、（ロ）は平面図、（ハ）は背面図、（ニ）は右側面図、（ホ）は左側面図、（ヘ）は（ハ）のＦ−Ｆ断面図、（ト）は設置例を示す拡大断面図。
【図５】本発明の歩道板の他実施の形態を示し、（イ）は正面図（一部、（ロ）のＧ−Ｇ断面図）、（ロ）は平面図、（ハ）は左側面図、（ニ）は（イ）のＨ−Ｈ断面図、（ホ）は設置例を示す拡大断面図。
【図６】本発明を構成する導水部の変形例を示し、（イ）乃至（ニ）はそれぞれ一部断面図。
【図７】本発明の歩道板の他実施の形態とその設置例を示し、（イ）乃至（ハ）は夫々一部平面図。
【図８】本発明の歩道板の他実施の形態とその設置例を示し、（イ）乃至（ハ）は夫々一部平面図。
【図９】本発明の歩道板の他実施の形態を示し、（イ）及び（ロ）は夫々設置時の横断面図。
【図１０】本発明の歩道板の他実施の形態を示し、（イ）は一部正面図、（ロ）は同平面図、（ハ）は側面図、（ニ）は接合例を示す一部平面図、（ホ）は（ニ）のＩ−Ｉ拡大断面図。
【図１１】本発明の歩道板の他実施の形態を示し、（イ）は正面図（一部、（ロ）のＪ−Ｊ断面図）、（ロ）は平面図、（ハ）は右側面図、（ニ）は左側面図、（ホ）は（イ）のＫ−Ｋ断面図、（ヘ）は他の歩道板の設置例を示す断面図、（ト）は他の歩道板を示す一部正面図、（チ）は（ト）の歩道板の設置例兼用側面図。
【図１２】本発明の端面相互の接合方法の他実施の形態を示し、（イ）はＵ形こうの正面図（一部、（ロ）のＬ−Ｌ断面図）、（ロ）は同平面図、（ハ）は同側面図、（ニ）は接合状態を示す一部断面図。
【図１３】本発明の端面相互の接合方法の他実施の形態に用いる他のＵ形こうを示し、（イ）は平面図、（ロ）は側面図。
【図１４】本発明の端面相互の接合方法の他実施の形態を示し、（イ）はＬ形ブロックの正面図、（ロ）は同平面図、（ハ）は同左側面図、（ニ）は接合状態を示す一部断面図、（ホ）は（ニ）のＰ−Ｐ断面図、（ヘ）は目地材の側面図、（ト）は同正面図、（チ）は他のＬ形ブロック及び目地材の側面図。
【図１５】本発明の端面相互の接合方法の他実施の形態を示し、（イ）は境界ブロックの正面図（一部、（ロ）のＱ−Ｑ断面図）、（ロ）は同平面図、（ハ）は同側面図、（ニ）は目地材の側面図、（ホ）は（ニ）のＲ−Ｒ断面図、（ヘ）は目地材を装着した境界ブロックの一部正面図、（ト）は接合状態を示す一部断面図。
【符号の説明】
１，１′，２１　歩道板
２，２′，２２，２２′端面
２ａ　凹陥面
３，２３　外突部
３ａ　底部
４，２４　導水部
４ａ　端部
４ｂ　底面
４ｃ　凹段部
５　空隙部
６　当接面
７　通水孔
８　凸部
８ａ，１４ａ　上縁
１０　空所
１１　排水施設
１１′Ｕ形こう
１３，３３　上面
１４　凹部
１６　目地代
１７　目地材
３１　Ｌ形ブロック
４１　境界ブロック
Ｇ　地表面
Ｗ　表面水
Ｗ′地中の水
【図１】
2004143903.tif 000003
【図２】
2004143903.tif 000004
【図３】
2004143903.tif 000005
【図４】
2004143903.tif 000006
【図５】
2004143903.tif 000007
【図６】
2004143903.tif 000008
【図７】
2004143903.tif 000009
【図８】
2004143903.tif 000010
【図９】
2004143903.tif 000011
【図１０】
2004143903.tif 000012
【図１１】
2004143903.tif 000013
【図１２】
2004143903.tif 000014
【図１３】
2004143903.tif 000015
【図１４】
2004143903.tif 000016
【図１５】
2004143903.tif 000017